(57)【特許請求の範囲】
【請求項１】
かしめ加工により頭部を形成してなる留め具をファイル本体及び綴じ具の双方に複数個係合させてこれらファイル本体及び綴じ具を結合するようにしたものであって、
綴じ具に、前記留め具の軸部のみが通過可能な第１の留め具挿通孔と、この第１の留め具挿通孔に隣接する部位に設けられ他の部位と比較して強度が劣る破壊容易部分と、前記留め具の軸部のみが通過可能な小径部及び前記留め具の頭部が通過可能な大径部を有する第２の留め具挿通孔とを設けているとともに、破壊容易部分を破壊することにより前記留め具の頭部が通過可能な頭部挿通孔を形成可能であり、
前記破壊容易部分と、前記第２の留め具挿通孔の大径部とを隣接させて設けているとともに、前記第１の留め具挿通孔からこの第１の留め具挿通孔に隣接する破壊容易部分に向かう方向と、前記第２の留め具挿通孔の小径部から大径部に向かう方向とを同一にしていることを特徴とするファイル。
【請求項２】
かしめ加工により頭部を形成してなる留め具をファイル本体及び綴じ具の双方に複数個係合させてこれらファイル本体及び綴じ具を結合するようにしたものであって、
綴じ具に、前記留め具の軸部のみが通過可能な第１の留め具挿通孔と、この第１の留め具挿通孔に隣接する部位に設けられ他の部位と比較して強度が劣る破壊容易部分と、前記留め具の軸部のみが通過可能でかつこの綴じ具の一端縁に開放した第２の留め具挿通孔とを設けているとともに、破壊容易部分を破壊することにより前記留め具の頭部が通過可能な頭部挿通孔を形成可能であり、
前記破壊容易部分と、前記第２の留め具挿通孔とを隣接させて設けているとともに、前記第１の留め具挿通孔からこの第１の留め具挿通孔に隣接する破壊容易部分に向かう方向と、前記第２の留め具挿通孔が開放する方向とを同一にしていることを特徴とするファイル。
【請求項３】
かしめ加工により頭部を形成してなる留め具をファイル本体及び綴じ具の双方に複数個係合させてこれらファイル本体及び綴じ具を結合するようにしたものであって、
綴じ具に、前記留め具の軸部のみが通過可能な複数の留め具挿通孔と、複数の留め具挿通孔に跨り隣接する部位に設けられ他の部位と比較して強度が劣る破壊容易部分とを設けているとともに、破壊容易部分を破壊することにより前記留め具の頭部が通過可能な頭部挿通孔を形成可能であり、
破壊容易部分に近接していた複数の留め具の頭部を破壊容易部分を破壊して取り除くことにより形成された頭部挿通孔に同時に合致させることにより、綴じ具をファイル本体から取り外すことができることを特徴とするファイル。
【請求項４】
前記破壊容易部分又はその近傍に治具を挿入可能な治具挿入部を設け、この治具挿入部に挿入した治具の先端部を持ち上げる操作力を加えることにより破壊容易部分を破壊して頭部挿通孔を形成可能であることを特徴とする請求項１、２又は３記載のファイル。
【請求項５】
背表紙の幅寸法を変更可能であることを特徴とする請求項１、２、３又は４記載のファイル。
【請求項６】
前記ファイル本体が、背表紙を構成する背表紙体と、この背表紙体の後方に位置する第１背幅調整部及びこの第１背幅調整部に隣接する表表紙部を有する表表紙体と、この背表紙体の後方に位置する第２背幅調整部及びこの第２背幅調整部に隣接する裏表紙部を有する裏表紙体と具備するとともに、前記表表紙体と前記裏表紙体とを互いにスライド可能に構成し、さらに前記綴じ具が、前記表表紙体及び前記裏表紙体にそれぞれ取り付けてなる１対のベース体を具備することを特徴とする請求項５記載のファイル。
【発明の詳細な説明】
【技術分野】
【０００１】
本発明は、かしめ加工により頭部を形成してなる留め具をファイル本体及び綴じ具の双方に複数個係合させてこれらファイル本体及び綴じ具を結合してなるファイルに関する。
【背景技術】
【０００２】
従来、この種のファイルは、表表紙、背表紙、及び裏表紙を備えたファイル本体と、前記ファイル本体の裏面に例えばリベット等の留め具により容易には離脱できないように固定された綴じ具とを備えている。このファイル本体は、厚手の紙や硬質合成樹脂等により作られており、その一方で綴じ具は、金属や硬質樹脂等から作られている。
【０００３】
ところで、近年地球の環境問題に対する懸念から、例えば製造物を廃棄する場合に、再利用できるものとできないものとに分別したり、あるいは可燃物と不燃物とに分別したりして、資源の再利用や焼却時に排出される有害物質の低減化等を促進することが広く一般化しつつあるのは周知の事実である。
【０００４】
そこで、ファイル本体及び綴じ具に特別な加工や部品の追加することなく、また非日常的な工具を用いることなく、ファイル本体から綴じ具を容易に分離し得るファイルを提供すべく、綴じ具におけるリベット等の留め具が係合している領域の少なくとも一部を含む部位に、他の部位に比べ強度的に劣る破壊容易部分を設け、この破壊容易部分を破壊することにより留め具の頭部が通過可能な頭部挿通孔を形成し、前記留め具とファイル本体との係合を解除し得るようにしたものが考えられている（例えば、特許文献１を参照）。
【特許文献１】特許第３８０８３０５号公報
【発明の開示】
【発明が解決しようとする課題】
【０００５】
ところで、このようなファイルに多量の紙葉類を綴じる場合、このようなファイルの運搬等の際に、留め具に大きな荷重がかかることがある。そこで、留め具に大きな荷重がかかり綴じ具と留め具との係合が意図せず解除され綴じ具がファイル本体から外れてしまう不具合の発生を防ぐべく、綴じ具とファイル本体との間に多数のリベット等の留め具を介在させ、係合強度を確保することが考えられる。
【０００６】
ところが、留め具と綴じ具が係合する箇所ごとに上述した破壊容易部分を設け、ファイルの廃棄の際にこの破壊容易部分を破壊して留め具の頭部が通過可能な頭部挿通孔を形成するようにすると、頭部挿通孔を形成する操作の回数が多くなり、ファイル本体から綴じ具を取り外しファイルを廃棄する作業の際に、手間がかかると感じられる不具合が存在する。
【０００７】
本発明は、以上に述べた課題を解決すべく構成するものである。
【課題を解決するための手段】
【０００８】
すなわち、本発明に係るファイルの一つは、かしめ加工により頭部を形成してなる留め具をファイル本体及び綴じ具の双方に複数個係合させてこれらファイル本体及び綴じ具を結合するようにしたものであって、綴じ具に、前記留め具の軸部のみが通過可能な第１の留め具挿通孔と、この第１の留め具挿通孔に隣接する部位に設けられ他の部位と比較して強度が劣る破壊容易部分と、前記留め具の軸部のみが通過可能な小径部及び前記留め具の頭部が通過可能な大径部を有する第２の留め具挿通孔とを設けているとともに、破壊容易部分を破壊することにより前記留め具の頭部が通過可能な頭部挿通孔を形成可能であり、前記破壊容易部分と、前記第２の留め具挿通孔の大径部とを隣接させて設けているとともに、前記第１の留め具挿通孔からこの第１の留め具挿通孔に隣接する破壊容易部分に向かう方向と、前記第２の留め具挿通孔の小径部から大径部に向かう方向とを同一にしていることを特徴とする。
【０００９】
このようなものであれば、破壊容易部分を破壊し、破壊容易部分に近接していた留め具の頭部を破壊容易部分を破壊して取り除くことにより形成された頭部挿通孔に、また第２の留め具挿通孔に係合している留め具は該第２の留め具挿通孔大径部に、それぞれ頭部を合致させることにより、綴じ具をファイル本体から取り外すことができる。すなわち、この構成を採用すれば、綴じ具をファイル本体から取り外す際に破壊容易部分を破壊する回数を少なくし、綴じ具を取り外す際の手間を軽減できる。
また、前記破壊容易部分と、前記第２の留め具挿通孔の大径部とを隣接させて設けているとともに、前記第１の留め具挿通孔からこの第１の留め具挿通孔に隣接する破壊容易部分に向かう方向と、前記第２の留め具挿通孔の小径部から大径部に向かう方向とを同一にしているので、綴じ具を前記第２の留め具挿通孔の小径部から該留め具挿通孔の大径部に向かう方向に移動させれば綴じ具を取り外せることを容易に視認でき、従って破壊容易部分を破壊した後の綴じ具の移動方向をわかりやすくすることができる。
【００１０】
また、本発明に係るファイルの他の一つは、かしめ加工により頭部を形成してなる留め具をファイル本体及び綴じ具の双方に複数個係合させてこれらファイル本体及び綴じ具を結合するようにしたものであって、綴じ具に、前記留め具の軸部のみが通過可能な第１の留め具挿通孔と、この第１の留め具挿通孔に隣接する部位に設けられ他の部位と比較して強度が劣る破壊容易部分と、前記留め具の軸部のみが通過可能でかつこの綴じ具の一端縁に開放した第２の留め具挿通孔とを設けているとともに、破壊容易部分を破壊することにより前記留め具の頭部が通過可能な頭部挿通孔を形成可能であり、前記破壊容易部分と、前記第２の留め具挿通孔とを隣接させて設けているとともに、前記第１の留め具挿通孔からこの第１の留め具挿通孔に隣接する破壊容易部分に向かう方向と、前記第２の留め具挿通孔が開放する方向とを同一にしていることを特徴とする。
【００１１】
このようなものであれば、破壊容易部分を破壊し、破壊容易部分に近接していた留め具の頭部を破壊容易部分を破壊して取り除くことにより形成された頭部挿通孔に頭部を合致させ、また第２の留め具挿通孔に係合している留め具を第２の留め具挿通孔の開放部分から外方に移動させてこの留め具と綴じ具の係合状態を解消することにより、綴じ具をファイル本体から取り外すことができる。すなわち、この構成を採用しても、綴じ具をファイル本体から取り外す際に破壊容易部分を破壊する回数を少なくし、綴じ具を取り外す際の手間を軽減できる。
また、前記破壊容易部分と、前記第２の留め具挿通孔とを隣接させて設けているとともに、前記第１の留め具挿通孔からこの第１の留め具挿通孔に隣接する破壊容易部分に向かう方向と、前記第２の留め具挿通孔が開放する方向とを同一にしているので、綴じ具を前記第２の留め具挿通孔が開放する方向に移動させれば綴じ具を取り外せることを容易に視認でき、従って破壊容易部分を破壊した後の綴じ具の移動方向をわかりやすくすることができる。
【００１３】
さらに、本発明に係るファイルの他の一つは、かしめ加工により頭部を形成してなる留め具をファイル本体及び綴じ具の双方に複数個係合させてこれらファイル本体及び綴じ具を結合するようにしたものであって、綴じ具に、前記留め具の軸部のみが通過可能な複数の留め具挿通孔と、複数の留め具挿通孔に跨り隣接する部位に設けられ他の部位と比較して強度が劣る破壊容易部分とを設けているとともに、破壊容易部分を破壊することにより前記留め具の頭部が通過可能な頭部挿通孔を形成可能であり、破壊容易部分に近接していた複数の留め具の頭部を破壊容易部分を破壊して取り除くことにより形成された頭部挿通孔に同時に合致させることにより、綴じ具をファイル本体から取り外すことができることを特徴とする。
【００１４】
このように構成したものであれば、破壊容易部分を破壊し、破壊容易部分に近接していた複数の留め具の頭部を破壊容易部分を破壊して取り除くことにより形成された頭部挿通孔に同時に合致させることにより、綴じ具をファイル本体から取り外すことができる。すなわち、この構成を採用しても、綴じ具をファイル本体から取り外す際に破壊容易部分を破壊する回数を少なくし、綴じ具を取り外す際の手間を軽減できる。
【００１５】
破壊容易部分の具体的な構成の一例として、前記破壊容易部分又はその近傍に治具を挿入可能な治具挿入部を設け、この治具挿入部に挿入した治具の先端部を持ち上げる操作力を加えることにより破壊容易部分を破壊して頭部挿通孔を形成可能であるものが挙げられる。
【００１６】
このような構成による効果を好適に得ることができるファイルとして、背表紙の幅寸法を変更可能であるものが挙げられる。このようなファイルには背表紙の幅寸法を増大させた状態で多量の紙葉類を綴じることが多く、綴じ具の取付強度を確保すべく留め具を多数用いる必要があるので、破壊容易領域の個数を少なくすることによる綴じ具取り外しの手間軽減効果がより顕著だからである。
【００１７】
前段で述べたような構成を得るための具体的な構成の一例として、背表紙を構成する背表紙体と、この背表紙体の後方に位置する第１背幅調整部及びこの第１背幅調整部に隣接する表表紙部を有する表表紙体と、この背表紙体の後方に位置する第２背幅調整部及びこの第２背幅調整部に隣接する裏表紙部を有する裏表紙体と具備するとともに、前記表表紙体と前記裏表紙体とを互いにスライド可能に構成し、さらに前記綴じ具が、前記表表紙体及び前記裏表紙体にそれぞれ取り付けてなる１対のベース体を具備するものが挙げられる。
【発明の効果】
【００１８】
本発明に係るファイルの構成によれば、破壊容易部分を破壊し、破壊容易部分に近接していた留め具の頭部を破壊容易部分を破壊して取り除くことにより形成された頭部挿通孔に頭部を合致させるとともに、また第２の留め具挿通孔に係合している留め具の頭部を該第２の留め具挿通孔大径部に合致させる、又は第２の留め具挿通孔に係合している留め具を第２の留め具挿通孔の開放部分から外方に移動させることにより、綴じ具をファイル本体から取り外すことができる。すなわち、綴じ具をファイル本体から取り外す際の破壊容易部分を破壊する回数を留め具の家具と比較して少なくし、綴じ具を取り外す際の手間を軽減できる。
【発明を実施するための最良の形態】
【００１９】
以下、本発明の一実施形態について図面を参照して説明する。
【００２０】
本実施形態に係るファイルＦは、図１に全体斜視図、図２に平面図、図３に要部を拡大して示した斜視図、図４に要部を拡大して示した平面図をそれぞれ示すように、ファイル本体１と、このファイル本体１に設けた綴じ具２とを具備する。また、本実施形態では、留め具たるリベットＲをファイル本体１と綴じ具２との双方に複数係合させてこれらファイル本体１と綴じ具２とを結合するようにしている。ここで、リベットＲは、一端部にのみ頭部Ｒ１を形成した状態で首部Ｒ２を後述するファイル本体１のリベット穴４２ｘ、５２ｘ、及び綴じ具２のリベット穴７２ｘ、７２ｙに挿通させ、かしめ加工により他端部に頭部Ｒ３を形成してファイル本体１及び綴じ具２の双方に係合させてなるものである。
【００２１】
前記ファイル本体１は、このファイルＦの背表紙を構成する背表紙体３と、この背表紙体３の後方に位置する第１背幅調整部４２及びこの第１背幅調整部４２に隣接する表表紙部４１を一体に有する表表紙体４と、この背表紙体３の後方に位置する第２背幅調整部５２及びこの第２背幅調整部５２に隣接する裏表紙部５１を一体に有する裏表紙体５と、これら表表紙体４及び裏表紙体５と前記背表紙体３との間に設けられ、これら表表紙体４及び裏表紙体５の相対位置が、最大限接近した近接位置及び所定距離離間させた離間位置のいずれかとなるようにこれら表表紙体４及び裏表紙体５を前記背表紙体３に係止するロック部材６とを具備する。前記表表紙体４と前記裏表紙体５とを互いに接離させるべくスライド可能に構成している。ここで、前記表表紙体４及び裏表紙体５の相対位置が前記近接位置にある場合に背表紙の幅寸法が最小、前記表表紙体４及び裏表紙体５の相対位置が前記離間位置にある場合に背表紙の幅寸法が最大となるようにしている。
【００２２】
前記背表紙体３は、ファイルの背表紙面を有する板状の部材である。
【００２３】
前記表表紙体４は、上述したように、背表紙体３の後方に位置する第１背幅調整部４２及びこの第１背幅調整部４２に隣接する表表紙部４１を一体に有する。前記第１背幅調整部４２の長手方向中央部には、綴じ具２を取付可能にすべく、リベット穴４２ｘを長手方向に離間させて複数箇所、本実施形態では４箇所に設けている。
【００２４】
前記裏表紙体５は、上述したように、背表紙体３の後方に位置する第２背幅調整部５２及びこの第２背幅調整部５２に隣接する表表紙部５１を一体に有する。前記第２背幅調整部５２の長手方向中央部には、綴じ具２を取付可能にすべく、リベット穴５２ｘを長手方向に離間させて複数箇所、本実施形態では４箇所に設けている。
【００２５】
前記ロック部材６は、前記図２及び図３に示すように、また、拡大斜視図を図５に示すように、前記背表紙体３に形成した係止穴３ｘに係合させてなるロック爪６１１を有するロック板６１と、このロック板６１の一端部を枢支するとともに前記第１背幅調整部４２及び第２背幅調整部５２から起立させて設けたピン４２１、５２１に係合し表表紙体４及び裏表紙体５の移動方向をガイドする長孔６２ｘ、６２ｘを有する係止ベース体６２とを具備する。ここで、前記ピン４２１、５２１及び長孔６２ｘ、６２ｘは、協働して表表紙体４及び裏表紙体５の移動方向をガイドするガイド機構としての機能を有する。このガイド機構についてさらに詳述すると、前記ピン４２１、５２１は、軸部４２１ａ、５２１ａと、この軸部４２１ａ、５２１ａの先端に位置しこの軸部４２１ａ、５２１ａよりも大径な頭部４２１ｂ、５２１ｂとを有する。一方、前記長孔６２ｘは、前記ピン４２１、５２１の軸部４２１ａ、５２１ａを通過させてなる。すなわち、ピン４２１の頭部４２１ｂと背表紙体３との間に、係止ベース体６２及び表表紙体４を配してこれらを挟持する一方、ピン５２１の頭部５２１ｂと背表紙体３との間に、係止ベース体６２及び裏表紙体５を配してこれらを挟持するようにしている。なお、表表紙体４及び裏表紙体５が背表紙の幅寸法が最小となる近接位置にある際には、これら表表紙体４及び裏表紙体５に設けた爪挿通孔と前記係止穴３ｘとが重合している。そして、このガイド機構６により、表表紙体４及び裏表紙体５を、前記図１〜図４に示すような背表紙の幅寸法が最小となる近接位置と、図６及び図７に示すような背表紙の幅寸法が最大となる拡開位置との間で移動する際の移動方向のガイドを行うようにしている。
【００２６】
一方、前記綴じ具２は、前記図１〜図３、図６、及び図７に示すように、前記表表紙体４及び前記裏表紙体５にそれぞれ取り付けてなる１対の綴じベース体７ａ、７ｂと、これら綴じベース体７ａ、７ｂの外側縁にそれぞれ対向した状態で着脱可能に取り付けられる一対の綴じ部８ａ、８ｂとを具備する。
【００２７】
綴じベース体７ａ、７ｂは、例えば金属素材からなり、主として綴じ部８ａ、８ｂを保持する機能を発揮する厚肉部７１と、この厚肉部７１の長手方向両端部に配され主としてファイル本体１への取付に利用される薄肉部７２とをそれぞれ備えてなる。厚肉部７１は、内包する弾性部材（図示省略）を利用して綴じ部８ａ、８ｂを着脱可能に係合保持する保持部（図示略）と、この保持部と綴じ部８ａ、８ｂとの係合状態を解除する場合に手動で操作可能な手動操作部７１２とを備えるものである。本実施形態では、厚肉部７１の外側縁部に、一の手動操作部７１２と、この手動操作部７１２を厚肉部７１の長手方向に沿って挟んだ位置に一対の保持部とを設けている。一方の綴じベース体７の手動操作部７１２に対して他方の綴じベース体７に向かって押し込む操作力が付与された際にその操作力に応じて手動操作部７１２が他方の綴じベース体７に向かって移動し得るように、厚肉部７１の外側縁部に手動操作部７１２の移動を許容し得る切欠部（図示略）を形成している。
【００２８】
しかして本実施形態では、この綴じ具２の各綴じベース体７、７、より具体的には各綴じベース体７、７の薄肉部７２、７２に、第１背幅調整部４２及び第２背幅調整部５２にそれぞれ設けたリベット穴４２ｘ、５２ｘのうち一部と重合する位置に設けられ前記リベットＲの首部（図示略）のみが通過可能な第１の留め具挿通孔たる第１のリベット穴７２ｘと、この第１の留め具挿通孔７２ｘに隣接する部位に設けられ他の部位と比較して強度が劣る破壊容易部分７２１と、前記リベット穴４２ｘ、５２ｘの残りと重合する位置に設けられ前記リベットＲの軸部のみが通過可能であり頭部Ｒ３は通過不可能な小径部７２ｙ１及び前記リベットＲの頭部Ｒ３が通過可能な大径部７２ｙ２を有する第２の留め具挿通孔たる第２のリベット穴７２ｙとを設けている。
【００２９】
前記破壊容易部分７２１は、この破壊容易部分７２１を破壊して取り除くことにより、リベットＲの頭部Ｒ３を挿通させ得る大きさを有した頭部挿通孔７２ｚが前記第１のリベット穴７２ｘに連続して形成されるようにしている。具体的には、前記第１のリベット穴７２ｘに隣接する部位を、薄肉部７２の他の部位と比較して背表紙体３から離間した離間部位としているとともに、この離間部位の中央部に、背表紙体３からさらに離間する側に突出した突起を設けていて、さらにこの突起の中央部に治具挿入部たる治具挿入孔７２１ｘを設けている。そして、前記離間部位の外周部分において、ベース体７の厚さ寸法が最も小さくなるようにしている。
【００３０】
また、綴じ部８ａ、８ｂは、一方の綴じ部８ａがその対向面部８１から突設した一対の綴じ杆８２を備え、他方の綴じ部８ｂがその対向面部８１から突設した綴じパイプ８３を備えるものであって、綴じパイプ８３に図示しない紙葉類の綴じ孔を差し込み、この状態の綴じパイプ８３にそれぞれ綴じ杆８２を嵌入することによって、紙葉類を一対の対向面部８１、８１間に綴じ込むものである。そして、前記係合保持させた状態において対向面部８１と前記手動操作部７１２とが干渉し得ないように、対向面部８１の長手方向中央部に、手動操作部７１２側（図示例では対向面部８１の起立方向に沿った下端側）に開口してなる開口部（図示略）を形成している。また、本実施形態では、前記表表紙体４及び裏表紙体５の相対位置が前記離間位置にある場合に、前記綴じパイプ８３の外側に、長手寸法が前記離間位置における綴じ部８ａ、８ｂ間の距離に略等しい延長パイプ８４を装着するようにしている。この延長パイプ８４は、非使用時には背表紙体３の所定箇所に収納可能にしている。
【００３１】
このような構成において、ファイルＦが不要になった場合等、綴じ具２をファイル本体１から取り外し分別する場合の説明を図８に示す。まず治具挿入孔７２３ｘに綴じ杆８２等の治具を差し込み、治具挿入孔７２３ｘの前記第１のリベット穴７２ｘと反対寄りの内壁面上端を支点にして回転させる等して、その先端を持ち上げるような力を加える。この際、治具挿入孔７２１ｘから挿入した綴じ杆８２等の治具の先端を持ち上げるような力が有効に破壊容易部分７２１を持ち上げるような力となり、しかも前記離間部位の外周部分は、他の部分より厚みが小さく強度的に弱いので、この離間部位の外周に沿って綴じ具２の一部が破損し、前記破壊容易部分７２１を除去するあるいは切り起こすことができる。図８に、この破壊容易部分７２１を除去した状態を示す。この破壊容易部分７２１の除去あるいは切り起こしに伴い形成された孔が頭部挿通孔７２ｚに相当する。次に、綴じ具２をファイル本体１に対して、例えばハンマー等で衝撃を与えスライドさせ、リベットＲの位置を前記第１のリベット穴７２ｘから前記頭部挿通孔７２ｚの位置に移動させる。その際、前記第２のリベット穴７２ｙに係合させていたリベットＲの位置は、前記第２のリベット穴７２ｙの大径部７２ｙ２に移動する。そして、頭部挿通孔７２ｚ及び第２のリベット穴７２ｙの大径部７２ｙ２は、リベットＲの頭部Ｒ３が通過可能であるため、この位置で綴じ具２を背表紙体３の面板方向に垂直な方向に移動させると、綴じ具２がファイル本体１から離脱することになる。
【００３２】
以上に述べたように、本実施形態に係るファイルＦでは、かしめ加工により頭部を形成してなるリベットＲをファイル本体１及び綴じ具２の双方に複数個係合させてこれらファイル本体１及び綴じ具２を結合するようにしたものであって、綴じ具２に、前記リベットＲの軸部のみが通過可能であり頭部Ｒ３は通過不可能な第１のリベット挿通孔７２ｘと、この第１の留め具挿通孔７２ｘに隣接する部位に設けられ他の部位と比較して強度が劣る破壊容易部分７２１と、前記リベットＲの軸部のみが通過可能であり頭部Ｒ３は通過不可能な小径部７２ｙ１及び前記リベットＲの頭部が通過可能な大径部７２ｙ２を有する第２のリベット挿通孔７２ｙとを設けているとともに、破壊容易部分７２１を破壊することにより前記リベットＲの頭部が通過可能な頭部挿通孔７２ｚを形成可能である。従って、破壊容易部分７２１を破壊し、破壊容易部分７２１に近接していたリベットＲの頭部を前記頭部挿通孔７２ｚに、また第２のリベット挿通孔７２ｙに係合しているリベットＲは該第２の留め具挿通孔７２ｙの大径部７２ｙ２に、それぞれ頭部を合致させることにより、綴じ具２をファイル本体１から取り外すことができる。すなわち、この構成を採用すれば、綴じ具２をファイル本体１から取り外す際に破壊容易部分７２１を破壊する回数を少なくし、綴じ具２を取り外す際の手間を軽減できる。
【００３３】
また、前記破壊容易部分７２１と、前記第２のリベット挿通孔７２ｙの大径部７２ｙ２とを隣接させて設けているとともに、前記第１のリベット挿通孔７２ｘからこの第１のリベット挿通孔７２ｘに隣接する破壊容易部分７２１に向かう方向と、前記第２のリベット挿通孔７２ｙの小径部７２ｙ１から大径部７２ｙ２に向かう方向とを同一にしているので、綴じ具２を前記第２の留め具挿通孔７２ｙの小径部７２ｙ１から該留め具挿通孔７２ｙの大径部７２ｙ２に向かう方向に移動させれば綴じ具２を取り外せることを容易に視認でき、破壊容易部分７２１を破壊した後の綴じ具２の移動方向をわかりやすくすることができる。
【００３４】
さらに、前記破壊容易部分７２１に治具を挿入可能な治具挿入孔７２１ｘを設け、この治具挿入孔７２１ｘに挿入した治具の先端部を持ち上げる操作力を加えることにより破壊容易部分７２１を破壊し頭部挿通孔７２ｚを形成できるので、簡単な操作により頭部挿通孔７２ｚを形成することができる。
【００３５】
加えて、背表紙の幅寸法を変更可能であるので、背表紙の幅寸法を増大させた状態で多量の紙葉類を綴じる態様に対応して綴じ具２の取付強度を確保すべくリベットＲを多数用いる必要があるこのようなファイルにおいて、破壊容易領域７２１の個数を少なくすることによる綴じ具２の取り外しの手間軽減効果をより顕著に得ることができる。
【００３６】
そして、背表紙を構成する背表紙体３と、この背表紙体３の後方に位置する第１背幅調整部４２及びこの第１背幅調整部４２に隣接する表表紙部４１を有する表表紙体４と、この背表紙体３の後方に位置する第２背幅調整部５２及びこの第２背幅調整部５２に隣接する裏表紙部５１を有する裏表紙体５と具備するとともに、前記表表紙体４と前記裏表紙体５とを互いにスライド可能に構成し、さらに前記綴じ具２が、前記表表紙体４及び前記裏表紙体５にそれぞれ取り付けてなる１対の綴じベース体８ａ、８ｂを具備する構成により、前段で述べたような効果を簡単な構成で得ることができる。
【００３７】
なお、本発明は以上に述べた実施態様に限られない。
【００３８】
例えば、図９に示すように、破壊容易部分７２１を第１の留め具挿通孔たる第１のリベット挿通孔７２ｘに対して綴じ具２の長手方向に隣接する部位に設けるとともに、第２の留め具挿通孔たる第２のリベット挿通孔７２ｙの小径部７２ｘを綴じ具２の長手方向に延伸させるようにしてもよい。
【００３９】
また、第１の留め具挿通孔を複数設ける態様において、図１０に示すように、第１の留め具挿通孔たる第１のリベット挿通孔７２ｘに隣接する破壊容易部分７２１に向かう方向を、綴じ具２の平面視中心を境としてそれぞれ逆方向に設定してもよい。この場合、破壊容易部分７２１を全て除去ないし切り起こした状態で綴じ具２の平面視中心部を回動中心として綴じ具２を回動させれば、この綴じ具２をファイル本体１から取り外すことができる。
【００４０】
さらに、第２の留め具挿通孔に大径部を設ける代わりに、図１１に示すように、この第２の留め具挿通孔７２ｙを一端縁に開放させてもよい。この場合、この第２の留め具挿通孔７２ｙを開放させる方向と、第１の留め具挿通孔７２ｘから該第１の留め具挿通孔７２ｘに隣接する破壊容易部分７２１に向かう方向とを一致させるとなおよい。
【００４１】
加えて、上述した態様における第２の留め具挿通孔を設ける代わりに、図１２及び図１３に示すように、複数の第１の留め具挿通孔７２１に跨り隣接する部位に、他の部位と比較して強度が劣る破壊容易部分７２１を設け、この破壊容易部分７２１を破壊して取り除くことにより頭部挿通孔７２ｚ（図１３を参照）を形成し、この破壊容易部分７２１に隣接する前記第１の留め具挿通孔７２１にそれぞれ挿通させたリベットＲ全ての頭部Ｒ３を前記頭部挿通孔７２ｚに同時に挿通させ得るようにしてもよい。このように構成しても、前記破壊容易部分７２１に隣接していた複数のリベットＲ全ての頭部Ｒ３を頭部挿通孔７２ｚに同時に挿通させることにより、綴じ具２をファイル本体から取り外すことができる。すなわち、この構成を採用しても、綴じ具２をファイル本体１から取り外す際に破壊容易部分７２１を破壊する回数を少なくし、綴じ具２を取り外す際の手間を軽減できる。
【００４２】
その他、本発明の趣旨を逸脱しない範囲で種々変形が可能である。
【図面の簡単な説明】
【００４３】
【図１】本発明の一実施形態に係るファイルの通常姿勢を示す全体斜視図。
【図２】同実施形態に係るファイルの通常姿勢を示す正面図。
【図３】同実施形態に係るファイルの要部を示す斜視図。
【図４】同実施形態に係るファイルの要部を示す正面図。
【図５】同実施形態に係るファイルのガイド部材を示す斜視図。
【図６】同実施形態に係るファイルの拡開姿勢を示す斜視図。
【図７】同実施形態に係るファイルの拡開姿勢を示す斜視図。
【図８】同実施形態に係るファイルの破壊容易部分を除去した状態を示す正面図。
【図９】本発明の他の実施形態に係るファイルの要部を示す正面図。
【図１０】本発明の他の実施形態に係るファイルの要部を示す正面図。
【図１１】本発明の他の実施形態に係るファイルの要部を示す正面図。
【図１２】本発明の他の実施形態に係るファイルの要部を示す正面図。
【図１３】本発明の他の実施形態に係るファイルの要部を示す正面図。
【符号の説明】
【００４４】
Ｆ…ファイル
１…ファイル本体
２…綴じ具
７１ｘ…第１のリベット挿通孔
７１ｙ…第２のリベット挿通孔
Ｒ…リベット（留め具）
【図１】
0005186702.tif 000002
【図２】
0005186702.tif 000003
【図３】
0005186702.tif 000004
【図４】
0005186702.tif 000005
【図５】
0005186702.tif 000006
【図６】
0005186702.tif 000007
【図７】
0005186702.tif 000008
【図８】
0005186702.tif 000009
【図９】
0005186702.tif 000010
【図１０】
0005186702.tif 000011
【図１１】
0005186702.tif 000012
【図１２】
0005186702.tif 000013
【図１３】
0005186702.tif 000014